(57)【要約】      （修正有）【課題】サブフィルタを用いる場合にも、従来の浄水器用カートリッジを活用することができ、サブフィルタを用いない場合には、従来の蛇口直結型浄水器のサイズと同程度とすることができる蛇口直結用浄水器を提供する。【解決手段】蛇口に水密に固定可能な固定部２１、原水入口、および固定部材が設けられた原水出口を備えた流路切替器２と、固定部材が設けられた水入口及び固定部材が設けられた水出口を備えたサブフィルタカートリッジ３と、固定部材が設けられた水入口及び浄水出口を備えたメインフィルタカートリッジ４と、を有し、流路切替器２の原水出口に設けられた固定部材と、サブフィルタカートリッジ３の水入口に設けられた固定部材と、メインフィルタカートリッジ４の水入口に設けられた固定部材とは、互いに着脱可能であり、かつ互いに接続した状態で水が水密に流通可能な形状である、蛇口直結型浄水器１。【選択図】図１
2017018912.tif 000002
【特許請求の範囲】
【請求項１】
蛇口に水密に固定可能な固定部、原水入口、および固定部材が設けられた原水出口を備えた流路切替器と、
固定部材が設けられた水入口および固定部材が設けられた水出口を備えたサブフィルタカートリッジと、
固定部材が設けられた水入口および浄水出口を備えたメインフィルタカートリッジと、を有し、
前記流路切替器の原水出口に設けられた固定部材と前記サブフィルタカートリッジの水入口に設けられた固定部材とは、互いに着脱可能であり、かつ接続した状態で水が水密に流通可能な形状であり、
前記サブフィルタカートリッジの水出口に設けられた固定部材と前記メインフィルタカートリッジの水入口に設けられた固定部材とは、互いに着脱可能であり、かつ接続した状態で水が水密に流通可能な形状であり、
かつ、前記流路切替器の原水出口に設けられた固定部材が、前記メインフィルタカートリッジの水入口に設けられた固定部材と着脱可能であり、かつ接続した状態で水が水密に流通可能な形状である、蛇口直結型浄水器。
【請求項２】
前記固定部材が、バヨネット機構である、請求項１の蛇口直結用浄水器。
【請求項３】
前記サブフィルタカートリッジが備えた水入口の開口の方向と前記サブフィルタカートリッジが備えた水出口の開口の方向との間の角度が８０〜１００°である、請求項１または２の蛇口直結型浄水器。
【請求項４】
前記サブフィルタカートリッジが、開口部およびこの開口部と着脱可能に嵌合・閉塞するキャップを有し、
前記開口部の開口の方向と、前記サブフィルタカートリッジが備えた水入口の開口の方向または前記サブフィルタカートリッジが備えた水出口の開口の方向と、の間の角度が１７０〜１９０°である、請求項３の蛇口直結型浄水器。
【請求項５】
前記サブフィルタカートリッジが、サブフィルタを有し、
前記キャップが、前記サブフィルタと着脱可能に係合する係合部を備えた、請求項４の蛇口直結型浄水器。
【請求項６】
前記サブフィルタカートリッジが、円筒状のサブフィルタを有し、
前記サブフィルタカートリッジが、軸方向の両方の端部が閉塞された円筒状であり、
前記サブフィルタカートリッジが備えた水入口が、前記サブフィルタカートリッジの側部に配されており、
前記サブフィルタカートリッジが備えた水入口が、前記サブフィルタカートリッジが備えた水入口から前記サブフィルタカートリッジの内部へ流れ込む水を２方向に分ける分流手段を備えた、請求項１〜５のいずれかの蛇口直結型浄水器。
【請求項７】
前記分流手段が、前記サブフィルタカートリッジが備えた水入口の流路切換器側から前記サブフィルタカートリッジが備えた水入口のサブフィルタカートリッジの内部側に厚さが増す仕切り板である、請求項６の蛇口直結型浄水器。
【請求項８】
固定部材が設けられた水入口および固定部材が設けられた水出口を備え、
前記水入口に設けられた固定部材と前記水出口に設けられた固定部材とは、互いに着脱可能であり、かつ接続した状態で水が水密に流通可能な形状である、フィルタカートリッジ。
【発明の詳細な説明】
【技術分野】
【０００１】
本発明は、蛇口直結型浄水器に関する。
【背景技術】
【０００２】
近年、浄水器は世界的に普及してきた。キッチンのシンク近傍に設置する据え置き型や、シンクの下に設置するアンダーシンク型の他に、蛇口に直接接続する蛇口直結型も使われるようになっている。蛇口直結型浄水器は、据え置き型やアンダーシンク型に比べて安価かつコンパクトであり、手軽に使用できるという長所がある。
【０００３】
しかし、水道水質が悪い一部の地域では、浄水器用カートリッジに内蔵したろ過膜が想定使用期間より早く目詰まる問題が発生している。特に、蛇口直結型浄水器は、そのコンパクトさゆえに、それに搭載される浄水器用カートリッジもコンパクトなものとなる。よって、その浄水器用カートリッジに搭載されるろ過膜の膜面積も小さく、短期間で比較的大きいサイズの濁質による目詰まりが発生し、使用できなくなる場合がある。
【０００４】
この問題に対し、そのろ過膜の上流側に、そのろ過膜より分画性能の劣るサブフィルタを配置させる方法が知られている。比較的大きいサイズの濁質をそのサブフィルタで除去し、上記のろ過膜に比較的大きいサイズの濁質が到達するのを抑制することで、ろ過膜を長期間使用することができる。
【０００５】
上記のような形態の浄水器用カートリッジとして、例えば特許文献１には、ろ過膜等を収納したメインフィルタの上流側に、そのメインフィルタよりも分画性能の劣るサブフィルタを配置させるようなものが開示されている。
【先行技術文献】
【特許文献】
【０００６】
【特許文献１】特開２０１１−２００８１６
【発明の概要】
【発明が解決しようとする課題】
【０００７】
しかしながら、特許文献１に開示された浄水器用カートリッジは、サブフィルタがメインフィルタカートリッジに直接取り付けられているため、メインフィルタカートリッジの形状が制約され、従来の浄水器用カートリッジをメインフィルタカートリッジとして活用できないとの問題点がある。また、特許文献１には、特許文献１に開示された浄水器用カートリッジがサブフィルタを取り外しても使用可能であることが開示されているが、その場合でも、メインフィルタカートリッジに閉塞部材を取り付けなければならず、その浄水器用カートリッジを搭載した蛇口直結型浄水器は、取り付けられた閉塞部材の分、従来の浄水器用カートリッジを搭載した蛇口直結型浄水器に比べサイズが大きくなるとの問題点がある。
【０００８】
そこで、上記の問題点に鑑み、本発明は、サブフィルタを用いる場合にも、従来の浄水器用カートリッジを活用することができ、さらに、サブフィルタを用いない場合には、その状態のサイズを従来の蛇口直結型浄水器のサイズと同程度とすることができる蛇口直結用浄水器を提供することを課題とする。
【課題を解決するための手段】
【０００９】
上記の目的を達成するため、本発明の浄水器は、蛇口に水密に固定可能な固定部、原水入口、および固定部材が設けられた原水出口を備えた流路切替器と、固定部材が設けられた水入口および固定部材が設けられた水出口を備えたサブフィルタカートリッジと、固定部材が設けられた水入口および浄水出口を備えたメインフィルタカートリッジと、を有し、前記流路切替器の原水出口に設けられた固定部材と前記サブフィルタカートリッジの水入口に設けられた固定部材とは、互いに着脱可能であり、かつ接続した状態で水が水密に流通可能な形状であり、前記サブフィルタカートリッジの水出口に設けられた固定部材と前記メインフィルタカートリッジの水入口に設けられた固定部材とは、互いに着脱可能であり、かつ接続した状態で水が水密に流通可能な形状であり、かつ、前記流路切替器の原水出口に設けられた固定部材が、前記メインフィルタカートリッジの水入口に設けられた固定部材と着脱可能であり、かつ接続した状態で水が水密に流通可能な形状である。
【発明の効果】
【００１０】
本発明によれば、サブフィルタを用いる場合にも、従来の浄水器用カートリッジを活用することができ、さらに、サブフィルタを用いない場合には、その状態のサイズを従来の蛇口直結型浄水器のサイズと同程度とすることができる蛇口直結用浄水器を提供することができる。
【図面の簡単な説明】
【００１１】
【図１】本発明の一実施形態例の蛇口直結型浄水器の正面概念図を示す。
【図２】図１に示した蛇口直結型浄水器の側面概念図を示す。
【図３】本発明に用いる一実施形態例のサブフィルタカートリッジのＡ−Ａ’断面概念図を示す。
【図４】本発明に用いる一実施形態例のサブフィルタカートリッジのＢ−Ｂ’断面概念図を示す。
【図５】本発明に用いることのできるメインフィルタカートリッジの一例を示す。
【図６】本発明の一実施形態例の蛇口直結型浄水器の使用形態の概念図を示す。
【発明を実施するための形態】
【００１２】
以下、本発明の実施形態の例を、図面を参照しながら説明する。なお本発明は以下に示す実施形態に限定されるものではなく、上記本発明の目的を達成できる範囲内で変更してもよい。
【００１３】
図１は本発明の一実施形態例の蛇口直結型浄水器の正面概念図を示す。また、図２は図１に示した蛇口直結型浄水器の側面概念図を示す。本発明の蛇口直結型浄水器１は、流路切替器２、サブフィルタカートリッジ３およびメインフィルタカートリッジ４を有するものである。上記の流路切替器２は、原水入口、固定部材が設けられた原水出口（以下、原水出口とすることがある）および固定部２１を備えており、上記の固定部２１により蛇口に水密に固定される。また、詳細は後述するが、サブフィルタカートリッジ３は固定部材が設けられた水入口（以下、水入口Ａとすることがある）および固定部材が設けられた水出口（以下、水出口Ａとすることがある）を備えており、メインフィルタカートリッジ４は固定部材が設けられた水入口（以下、水入口Ｂとすることがある）および浄水出口を備えている。
【００１４】
また、本発明の蛇口直結型浄水器においては、流路切替器の原水出口とサブフィルタカートリッジの水入口とが着脱可能であり、かつ、原水出口と水入口Ａとが固定された状態で原水出口と水入口Ａとを水が水密に流通可能であること、さらに、サブフィルタカートリッジの水入口とメインフィルタカートリッジの水入口とが着脱可能であり、かつ、水出口Ａと水入口Ｂとが固定された状態で水出口Ａと水入口Ｂとを水が水密に流通可能であることが重要である。そのためには、原水出口の固定部材と水入口Ａの固定部材とが、互いに着脱可能であり、かつ接続した状態で水が水密に流通可能な形状であることが重要である。また、水出口Ａの固定部材と水入口Ｂの固定部材とが、互いに着脱可能であり、かつ接続した状態で水が水密に流通可能な形状であることが重要である。ここで、上記の固定手段は特に限定されず、ネジ機構やバヨネット機構を例示することができる。なかでも、バヨネット機構を用いることで、原水出口と水入口Ａまたは水出口Ａと水入口Ｂとを着脱する際に、ネジ機構のように使用者が何回も回転させて取り付け等を行う必要がなく手軽に着脱ができ、また、少ない部材点数で固定手段を構成でき蛇口直結型浄水器の生産性がより優れたものとなるため、上記の固定部材はバヨネット機構であることが好ましい。
【００１５】
また、サブフィルタカートリッジを用いない場合にメインフィルタカートリッジを直接流路切替器に取り付けることで蛇口直結型浄水器のサイズをコンパクトなものとすることができるとの観点から、原水出口と水入口Ｂとが着脱可能であり、かつ、原水出口と水入口Ｂとが固定された状態で原水出口と水入口Ｂとを水が水密に流通可能であることが重要である。そのためには、原水出口の固定部材と水入口Ｂの固定部材Ｂとが、互いに着脱可能であり、かつ接続した状態で水が水密に流通可能な形状であることが重要である。また、上記の固定手段としては、ネジ機構やバヨネット機構を挙げることができ、より手軽に着脱ができて、蛇口直結型浄水器の生産性がより優れたものとなるとの観点から上記の固定手段はバヨネット機構であることが好ましいのは上述のとおりである。
【００１６】
上述した本発明の蛇口蛇口直結型浄水器の態様の一例として、原水出口の固定手段がバヨネット機構の凹（以下、凹Ｉとすることがある）で、水入口Ａの固定手段がバヨネット機構の凸（以下、凸Ｉとすることがある）で、水出口Ａの固定手段がバヨネット機構の凹（以下、凹ＩＩとすることがある）で、さらに、水入口Ｂの固定部材がバヨネット機構の凸（以下、凸ＩＩとすることがある）であり、凹Ｉと凸Ｉは、互いに着脱可能であり、かつ接続した状態で水が水密に流通可能な形状であり、凹ＩＩと凸ＩＩも、互いに着脱可能であり、かつ接続した状態で水が水密に流通可能な形状であり、さらに、凹Ｉと凸ＩＩも、互いに着脱可能であり、かつ接続した状態で水が水密に流通可能な形状である態様を挙げることができる。
【００１７】
ここで、図６は本発明の一実施形態例の蛇口直結型浄水器の使用形態の概念図を示す。この使用形態においては、蛇口直結型浄水器１はサブフィルタカートリッジを有しておらず、メインフィルタカートリッジ４は流路切替器２に直接連結しているため、そのサイズはサブフィルタカートリッジを有している場合に比べコンパクトなものとなっている。
【００１８】
図１に示す本発明の蛇口直結型浄水器の一実施形態では、上記の機構を用い流路切替器２がサブフィルタカートリッジ３を介してメインフィルタカートリッジ４と連結している。
【００１９】
また、図１の矢印５は、蛇口から導入された水のサブフィルタカートリッジ３までの流通経路の概念を示し、図２の矢印６は、サブフィルタカートリッジ３に導入された水のメインフィルタカートリッジ４から吐水されるまでの流通経路の概念を示す。
【００２０】
次に、図３は本発明に用いる一実施形態例のサブフィルタカートリッジのＡ−Ａ’断面概念図を示し、図４は本発明に用いる一実施形態例のサブフィルタカートリッジのＢ−Ｂ’断面概念図を示す。サブフィルタカートリッジ３は円柱状であり、サブフィルタケース３２とキャップ３３とを備える筐体、その筐体に収納されるサブフィルタ３１を有する。ここで、サブフィルタケース３２は開口５７を有する水入口Ａ、開口５８を有する水出口Ａおよび開口部を有しており、上記の開口部にはキャップ３３が着脱可能な状態で嵌合することで、その開口部は閉塞される。図３および４に示す本発明に用いるサブカートリッジの一例では、サブフィルタカートリッジの水入口に設けられた固定部材はバヨネット機構の凸５１である。また、サブフィルタカートリッジの水出口に設けられた固定部材はバヨネット機構の凹５２である。
【００２１】
ここで、本発明の効果を得るために必要な本発明の蛇直結型浄水器の構成（具体的には、原水出口と水入口Ａとの連結機構、水出口Ａと水入口Ｂとの連結機構および原水出口と水入口Ｂとの連結機構）を上述したが、その本発明の効果を得るためにはサブフィルタカートリッジの構成も極めて重要となる。すなわち、サブフィルタを有するサブフィルタカートリッジは固定部材が設けられた水入口および固定部材が設けられた水出口を備え、上記の水入口に設けられた固定部材と上記の水出口に設けられた固定部材とは、互いに着脱可能であり、かつ接続した状態で水が水密に流通可能な形状であることが重要である。ここで、上述のとおり、原水出口の固定手段と水入口Ａの固定手段とが、互いに着脱可能であり、かつ接続した状態で水が水密に流通可能な形状であり、水出口Ａの固定手段と水入口Ｂの固定手段とが、互いに着脱可能であり、かつ接続した状態で水が水密に流通可能な形状である場合において、さらに、上述のとおり、サブフィルタカートリッジの水入口の固定手段とサブフィルタカートリッジの水出口の固定手段とが、互いに着脱可能であり、かつ接続した状態で水が水密に流通可能な形状であれば、必然的に、メインフィルタカートリッジの水入口の固定手段と流路切替器の原水出口の固定手段とも、互いに着脱可能であり、かつ接続した状態で水が水密に流通可能な形状となる。そうすることで、サブフィルタカートリッジを用いない場合においては、メインフィルタカートリッジを流路切替器に直接固定することができ、その場合の蛇口直結型浄水器のサイズを従来の蛇口直結型浄水器のサイズと同程度とすることができるのである。
【００２２】
また、図３および４からも把握できるとおり、サブフィルタカートリッジ３は、円筒形であり、そのサブフィルタカートリッジ３に収納されているサブフィルタ３１も円筒形である。ここで、このサブフィルタカートリッジ３の場合、その側面に設けられた水入口Ａから原水がサブフィルタカートリッジ３内部に導入され、その後、原水はサブフィルタ３１の側面からサブフィルタ３１の内部に導入される。この場合において、原水は必ずサブフィルタ３１の側面からサブフィルタ３１の内部に導入される必要があり、そのためにサブフィルタ３１の両端部を水密に封止する必要がある、その具体的な手段の一例として、図３に示すような、サブフィルタ３１の両端部にその両端部全体を覆うパッキン３５を配し、そのサブフィルタ３１がサブフィルタカートリッジ３に収納されている状態において、サブフィルタケース３２とキャップ３３との間でそれらのパッキンにサブフィルタ３１の軸方向への圧力をかける方法が例示できる。なおパッキン３５の材質としては、ＥＰＤＭやゴム硬度の低いシリコーンゴムなどのエラストマーを用いることができる。
【００２３】
また、サブフィルタの製品寿命をより優れたものと出来る観点から、原水はサブフィルタの水入口Ａに対向する側面部分から主にサブフィルタ内に導入されるよりはサブフィルタの側面全体からサブフィルタ内に導入されることが好ましい。そのためには、水入口Ａからサブフィルタカートリッジ内部に導入される原水は、図４の矢印５６で示すようにサブフィルタケースの内周面とサブフィルタの外周面との間をサブフィルタの水入口Ａに対向する側面部分の裏側まで回り込むように流れるのが好ましい。そのための具体的な手段として、図４に示すように、サブフィルタをその軸方向の両方の端部が閉塞された円筒状とし、水入口Ａをサブフィルタカートリッジの側部に配し、水出口Ａをサブフィルタカートリッジの軸方向の一方の端部に配した場合に、水入口Ａが、水入口Ａからサブフィルタカートリッジに流れ込む水を２方向に分ける分流手段を備える形態が例示できる。ここで、分流手段としては、水の流れの上流側から下流側に厚さが増す、すなわち、水入口Ａの流路切換器側から水入口Ａのサブフィルタカートリッジの内部側に厚さが増す仕切り板などが例示できる。ここで、図４に示すサブフィルタの一形態においては、分流手段として上記のような仕切り板５３を用いている。
【００２４】
また、サブフィルタ３１は、サブフィルタケース３２の有する開口部を介して出し入れすることができる。
【００２５】
また、サブフィルタカートリッジの水入口の開口の方向とサブフィルタカートリッジの水出口の開口の方向との間の角度は８０〜１００°であることが好ましい。そのようにすることで、流路切替器にメインフィルタカートリッジがサブフィルタカートリッジを介して取り付けられている状態において、流路切替器、サブフィルタカートリッジおよびメインフィルタカートリッジが１つの方向に広がるのが抑制され、蛇口直結型浄水器の使用者に対しコンパクトにまとまったものとの好印象を与えることができる。さらに、上記の態様において、上記の開口部の開口の方向と上記のサブフィルタカートリッジの水入口の開口の方向またはサブフィルタカートリッジの水出口の開口の方向との間の角度が１７０〜１９０°であることが好ましい。そのようにすることで、サブフィルタカートリッジにメインフィルタカートリッジと流路切替器を取り付けた状態で、サブフィルタの交換を容易に行うことができる蛇口直結型浄水器を得ることができる。
【００２６】
また、キャップ３３はサブフィルタと着脱可能に係合する係合部を備えることが好ましい。そのようにすることで、サブフィルタを交換する際に、キャップ３３にサブフィルタを係合させ、続いて、そのキャップ３３をサブフィルタケース３２に嵌合させることで、サブフィルタを容易にサブフィルタケース３２に収納でき、また、収納されたサブフィルタはキャップ３３と係合しているためキャップ３３をサブフィルタケース３２から取り外すだけでサブフィルタもサブフィルタケース３２から容易に取り出すことができるためである。
【００２７】
また、サブフィルタケースやキャップの材質にはＡＢＳ樹脂を用いることで、安価となり、軽量化もできるので組み立て作業時の取り扱いも容易になる。その他、ポリカーボネート、ＡＳ樹脂、ポリスチレン、アクリル樹脂、ポリエチレンなどの樹脂を用いることもできる。
【００２８】
また、上記の開口部にキャップ３３を着脱可能な状態で嵌合することを可能とする機構としては、一対のネジ機構や一対のバヨネット機構を挙げることができ、さらに、キャップ３３による開口部の閉塞性をより向上させることができるとの観点から、図３に示すように、キャップ３３の側面には溝が設けられており、そこにＯ−リング３４が配されていることが好ましい。また、Ｏ−リングの素材としては、例えばエチレンプロピレンゴム（ＥＰＤＭ）を用いることができるが、他にゴム硬度の低いシリコーンゴムなどのエラストマーを用いても良い。
【００２９】
また、サブフィルタは、メインフィルタカートリッジに収納されるメインフィルタの濾過寿命をより優れたものとするとの観点から、メインフィルタよりも分画性能が劣るものを用いることが好ましく、たとえばポリプロピレン製の濾材を円筒状に形成したフィルタを用いることができる。
【００３０】
また、サブフィルタ３１は、実質的には濾材だけの部材であり樹脂製の筐体等を含むものではないが、濾材の形状を保つためのコア（芯）部分や枠部材などを有していてもよい。
【００３１】
次に、メインフィルタカートリッジについて説明する。本発明に用いるサブフィルタカートリッジは、メインフィルタカートリッジに取り付けられるものではないため、本発明に用いるメインフィルタカートリッジは従来のものを用いることができる。具体的に、メインフィルタカートリッジについて図５を用いて説明する。図５は、本発明の蛇口直結型浄水器に用いることのできるメインフィルタカートリッジの一例を示す。
【００３２】
メインフィルタカートリッジ４は、主に、開口部を有するメインフィルタケース４２と該メインフィルタケース４２の開口部を閉じるメインフィルタキャップ４３から構成させる筐体、そして、その筐体に収納される、メインフィルタから構成される。また、メインフィルタは活性炭等から構成される吸着材６３と分画性能に優れた中空糸膜６４からなる。
【００３３】
また矢印６１は、メインフィルタカートリッジ内の水の流れを示す。
【００３４】
本発明の蛇口直結型浄水器においては、水がサブフィルタ、吸着材、中空糸膜の順に通水する構成とし、さらに、サブフィルタの分画性能を中空糸膜の分画性能よりも劣ったものとすることが好ましい。このような構成とすることで、まず、水の中のサイズの大きい濁質がサブフィルタにより捕集され、サブフィルタより下流にサイズの大きい濁質が入流するのが抑制されるのでメインフィルタの目詰まりが抑制される。また、水道水の殺菌成分である塩素は吸着材によって除去されてしまうため、吸着材を通過した後の水では、菌の繁殖が起こりうる状態となる。従って、菌を最終的に除去するため、浄水器内における吸着材の通過後は分画性能が高い中空糸膜を通過することが好ましい。こうすることで、浄水器から得られる浄水をより衛生的なものとすることができる。
【００３５】
さらに、本発明は、以下に示すような実施形態にすることも好ましい。
【００３６】
キャップの一部または全部の材質に透明の樹脂（例えば、アクリロニトリル・スチレン樹脂など）を用いることが好ましい。透明であると、サブフィルタの交換時にサブフィルタの汚れ具合を確認することが可能である。使用者がサブフィルタの汚れ具合を確認することで、メインフィルタカートリッジの交換要否を容易に推測することができるため好ましい。透明な樹脂としては、アクリロニトリル・スチレン樹脂以外にも、ポリカーボネート、ポリスチレン、アクリル樹脂、ＡＢＳ樹脂（アクリロニトリル・ブタジエン・スチレン樹脂）などの汚れ具合を確認できる程度の透明性を有しているものを用いてもよい。
【００３７】
さらに、メインフィルタカートリッジの側面の一部または全部、すなわち、メインフィルタケースの側面の一部または全部の材質にも透明のＡＢＳ樹脂を用いることが好ましい。透明であると、外側から吸着材などメインフィルタカートリッジの内部部材を確認することができるため、使用者が汚れなどの状況を確認し、メインフィルタカートリッジの交換要否を容易に判断することができる。さらに、外側からメインフィルタカートリッジの内部部材の不良品を発見することができるため、品質管理においても好ましい。その他、ポリカーボネート、ＡＳ樹脂ポリスチレン、アクリル樹脂、ポリエチレンなどの透明性を有している樹脂を用いても良い。また、サブフィルタケースと併せて透明樹脂で成形すると、サブフィルタとメインフィルタのうち、交換すべきものを判断し、該当するもののみを交換できるという利点がある。
【００３８】
サブフィルタケースの内面とキャップとで形成される閉空間においては、サブフィルタケースの内面とサブフィルタとの間に弾性体を配し、該弾性体によりサブフィルタがキャップ側に付勢されるようにすることも好ましい。具体的には、たとえば図３に示すように、サブフィルタケース３２の内面のサブフィルタ３１が接する面にサブフィルタ３１を付勢するバネ３６を設けることが挙げられる。こうすると、サブフィルタ３１の軸方向の長さが短い場合であっても、キャップ３３を開放するだけでサブフィルタ３１がバネ３６によって、サブフィルタ３１収納空間の外側方向に押し出されるので、サブフィルタ３１を容易に交換できる。この場合、バネ３６に耐水性を持ったものを使用する。また、バネ３６は、例えばゴムやエラストマー製の蛇腹形状バネ、板バネ、もしくは単なる伸縮可能な平板部材など、上述の目的を果たせる弾性体であればよい。
【符号の説明】
【００３９】
１  蛇口直結型浄水器
２  流路切替器
３  サブフィルタカートリッジ
４  メインフィルタカートリッジ
５  矢印
６  矢印
２１  固定部
３１  サブフィルタ
３２  サブフィルタケース
３３  キャップ
３４  Ｏ−リング
３５  パッキン
３６  バネ
４２  メインフィルタケース
４３  メインフィルタキャップ
５１  バヨネット機構の凸
５２  バヨネット機構の凹
５３  仕切り板
５６  矢印
５７  開口
５８  開口
６１  矢印
６３  吸着材
６４  中空糸膜
【図１】
2017018912.tif 000003
【図２】
2017018912.tif 000004
【図３】
2017018912.tif 000005
【図４】
2017018912.tif 000006
【図５】
2017018912.tif 000007
【図６】
2017018912.tif 000008